(57)【要約】【課題】硬質繊維と軟質繊維とを効果的に組み合わせて使用することにより、汚れ落とし機能と水や汚れの飛散防止機能とを兼ね備えた衛生的で効率的設計構造のトイレ用ブラシを得る。【解決手段】柄１の先端に取り付けられたブラシ基台２の下面の植毛面４を、該ブラシ基台２の先端から後方に向けて延びる第１植毛領域６と、この第１植毛領域６の後部側の外周を取り囲むように位置する第２植毛領域７とに区画し、上記第１植毛領域６に、便器を擦り洗いするのに必要な剛弾性を備えた硬質繊維８を植設すると共に、上記第２植毛領域７に、擦り洗い時の水跳ねを防止するための柔軟性を有する軟質繊維９を植設する。【選択図】        図６
2005040266.tif 000002
【特許請求の範囲】
【請求項１】
柄の先端に取り付けられたブラシ基台の下面の植毛面を、該ブラシ基台の先端から後方に向けて延びる第１植毛領域と、この第１植毛領域の後部側の外周を取り囲むように位置する第２植毛領域とに区画し、上記第１植毛領域に、便器を擦り洗いするのに必要な剛弾性を備えた硬質繊維を植設すると共に、上記第２植毛領域に、擦り洗い時の水跳ねを防止するための柔軟性を有する軟質繊維を植設したことを特徴とするトイレ用ブラシ。
【請求項２】
上記軟質繊維が波付けされていることを特徴する請求項１に記載のトイレ用ブラシ。
【請求項３】
上記ブラシ基台の植毛面が、略半円形をした先端領域と、該先端領域に滑らかに連なって後方に向けて延びる中間領域と、この中間領域に連なる後端領域とを有していて、上記第２植毛領域が、上記中間領域の両側端から上記後端領域にかけて略Ｕ字形に形成されると共に、上記第１植毛領域が、上記先端領域に対応する略半円状の第１部分と、該第１部分から後方に延びて上記第２植毛領域の内側に入り込む細幅の第２部分とからなることを特徴する請求項１又は２に記載のトイレ用ブラシ。
【請求項４】
上記植毛面の後端領域に、該後端領域の両側端部からブラシ基台の後方に向けて延出する左右一対の延出領域が形成され、これらの延出領域に軟質繊維が植設されていることを特徴とする請求項３に記載のトイレ用ブラシ。
【発明の詳細な説明】
【０００１】
【発明の属する技術分野】
本発明は、トイレ用ブラシに関するものであり、更に詳しくは、便器を清掃するためのブラシに関するものである。
【０００２】
【従来の技術】
トイレの便器を清掃するのに使用されるこの種のブラシは、一般に、柄の先端に取り付けられたブラシ基台の下面に多数の繊維を植設した構成を有していて、この繊維で便器を擦り洗いするようになっている。従って上記繊維は、便器を擦り洗いするのに必要な剛弾性を備えた硬質の繊維であって、この硬質繊維で汚れを擦り落とすものである。
【０００３】
ところが、このような弾性のある硬質繊維で例えば便器の縁の部分などを擦ると、汚れは落ち易いものの、湾曲した繊維が復元するときの跳ね返り力で水や汚れが周囲に飛び散り、非常に不衛生である。特に、ブラシの後部側に位置する繊維によって水や汚れが後方や斜め後方に向けて飛散し、壁や床あるいは作業者等に付着し易い。柔軟性に富んだ軟質繊維を使用すれば、水や汚れの飛散は抑えることができるが、繊維の腰が弱いために汚れが落ちにくくなってしまう。
【０００４】
【発明が解決しようとする課題】
本発明の課題は、硬質繊維と軟質繊維とを効果的に組み合わせて使用することにより、汚れ落とし機能と水や汚れの飛散防止機能とを兼ね備えた衛生的で効率的設計構造のトイレ用ブラシを提供することにある。
【０００５】
【課題を解決するための手段】
上記課題を解決するため、本発明によれば、柄の先端に取り付けられたブラシ基台の下面の植毛面を、該ブラシ基台の先端から後方に向けて延びる第１植毛領域と、この第１植毛領域の後部側の外周を取り囲むように位置する第２植毛領域とに区画し、上記第１植毛領域に、便器を擦り洗いするのに必要な剛弾性を備えた硬質繊維を植設すると共に、上記第２植毛領域に、擦り洗い時の水跳ねを防止するための柔軟性を有する軟質繊維を植設したことを特徴とするトイレ用ブラシが提供される。
【０００６】
上記構成を有する本発明のブラシは、従来のブラシと同様にして便器を擦り洗いするが、このとき、便器の汚れを落とす役目は、主として第１植毛領域に植設した硬質繊維が果たし、第２植毛領域に植設した軟質繊維は、主として、上記硬質繊維の跳ね返りを抑制して水や汚れが周囲に飛散するのを防止する役目を果たす。この場合特に、上記軟質繊維を、硬質繊維を植設した第１植毛領域の後部側の外周を取り囲むように植設しているため、該硬質繊維が後方や斜め後方に向けて跳ね返るのが確実に抑制され、その跳ね返りによって水や汚れが作業者に向けて飛散することがなくなる。また、上記軟質繊維自体は腰が弱いため、跳ね返りによる水はねは殆ど生じない。
【０００７】
かくして本発明によれば、硬質繊維と軟質繊維とを効果的に組み合わせて使用することにより、汚れ落とし機能と水や汚れの飛散防止機能とを兼ね備えた衛生的で効率的設計構造のトイレ用ブラシを得ることができる。
【０００８】
本発明において好ましくは、上記軟質繊維が波付けされていることである。
本発明の具体的な構成態様によれば、上記ブラシ基台の植毛面が、略半円形をした先端領域と、この先端領域に滑らかに連なって後方に向けて延びる中間領域と、この中間領域に連なる後端領域とを有していて、上記第２植毛領域が、上記中間領域の両側端から上記後端領域にかけて略Ｕ字形に形成されると共に、上記第１植毛領域が、上記先端領域に対応する略半円状の第１部分と、該第１部分から後方に延びて上記第２植毛領域の内側に入り込む細幅の第２部分とからなっている。
【０００９】
また、上記植毛面の後端領域には、該後端領域の両側端部からブラシ基台の後方に向けて延出する左右一対の延出領域が形成され、これらの延出領域に軟質繊維が植設されていても良い。
【００１０】
【発明の実施の形態】
以下、本発明に係るトイレ用ブラシの好ましい実施形態について説明する。図１〜図４は本発明の第１実施例を示すもので、この第１実施例のブラシは、柄１と、この柄１の先端に固定されたプレート状のブラシ基台２とを備えている。
上記柄１は、ブラシ基台２の上面に斜めに取り付けられていて、該ブラシ基台２の後方側（手前側）に向けて延びている。また、この柄１の断面は略矩形状をしていて、該柄１の中間部の両側面には、図示しないブラシ収納ケースの係止部に吊り掛け状態で収納するためのフック１ａが形成されている。
【００１１】
上記ブラシ基台２は、図２及び図４から分かるように、前後方向に細長いプレートの先端部２ａを弧状に形成すると共に、後端部２ｂを直線状か弧状に形成したような平面形状を有している。また、このブラシ基台２は、完全に平坦ではなく、先端部２ａ側と後端部２ｂ側とが上方に僅かに反った形に湾曲している。しかし、完全に平坦かあるいは平坦に近い形であっても良い。なお、このブラシ基台２は、上記弧状の先端部２ａと後端部２ｂとを除く中間部２ｃの横幅が、一定幅であっても良いが、楕円の中間部分のように滑らかに膨らんだ形をしていても良い。
【００１２】
上記ブラシ基台２の下面には、繊維を植設するための植毛面４が設けられている。この植毛面４は、略半円形をした先端領域４ａと、この先端領域４ａに滑らかに連なって後方に向けて延びる中間領域４ｂと、この中間領域４ｂに連なる後端領域４ｃとからなっていて、この植毛面４が、ブラシ基台２の先端から後方に向けて延びる第１植毛領域６と、この第１植毛領域６の後部側の外周を取り囲むように位置する第２植毛領域７とに区画されている。
【００１３】
上記第２植毛領域７は、図４にドットを付して示したように、上記中間領域４ｂの左右両側端に沿って後方に延びる第１部分７ａと、上記後端領域４ｃで植毛面４を横断する方向に延びる第２部分７ｂと有していて、全体として略Ｕ字形に形成されている。一方の上記第１植毛領域６は、上記植毛面４の先端領域４ａに対応する略半円状の第１部分６ａと、該第１部分６ａから後方に延びて上記第２植毛領域７の内側に入り込む細幅の第２部分６ｂとからなっている。そして、この第１植毛領域６に、便器を擦り洗いするのに必要な剛弾性を備えた硬質繊維８が植設されると共に、上記第２植毛領域７に、擦り洗い時の水跳ねを防止するための柔軟性を有する軟質繊維９が植設されている。
【００１４】
上記各繊維８，９は、複数本ずつが束にされ、植毛面４に所要のパターンで穿設した複数の孔１０内にその基端部を挿入して固定することにより、これらの各孔１０内に植設されている。これらの硬質繊維８と軟質繊維９の毛先は揃えられていて、それらの毛先によって１つの毛先面１１が形成されている。この毛先面１１は、平面であっても曲面であっても良く、また、波形の凹凸が付された面であっても良い。図３は、上記毛先面１１を正面から見たもので、濃いドットの部分が硬質繊維８の毛先を表しており、薄いドットの部分が軟質繊維９の毛先を表している。
【００１５】
上記硬質繊維８及び軟質繊維９は、それぞれ合成樹脂製のものであって、このうち軟質繊維９は、波付けされるか、あるいは硬質繊維８よりも細径化することで、必要な柔軟性を保持させられている。しかし、この軟質繊維９は、細径化したうで更に波付けしても良い。
【００１６】
なお、図４上では、上記第１植毛領域６と第２植毛領域７とが線で区画されているが、実際にこのような境界線が植毛面４上に引かれているわけではない。上記先端領域４ａと中間領域４ｂ及び後端領域４ｃの境界、及び図３における硬質繊維８と軟質繊維９との毛先の境界についても同様である。
【００１７】
上記構成を有する第１実施例のブラシは、従来のブラシと同様にして便器を擦り洗いする。このとき、便器の汚れを落とす役目は、主として第１植毛領域６に植設した硬質繊維８が果たし、第２植毛領域７に植設した軟質繊維９は、主として、上記硬質繊維８の跳ね返りを抑制して水や汚れが周囲に飛散するのを防止する役目を果たす。この場合、上記軟質繊維９を、硬質繊維８を植設した第１植毛領域６の後部側の外周を取り囲むように植設しているため、撓んだ硬質繊維８が後方や斜め後方に向けて跳ね返るのが確実に抑制され、その跳ね返りによって水や汚れが作業者に向けて飛散することがなくなる。また、上記軟質繊維９自体は腰が弱いため、跳ね返りによる水はねは殆ど生じることがなく、仮に水跳ねが生じたしても、便器の外部に飛散するほどの勢いはない。
【００１８】
なお、上記軟質繊維９で囲まれた第２部分６ｂでは、硬質繊維８の弾性変形が規制されるため、この部分での硬質繊維８による汚れ落とし機能は若干低下するが、ブラシの先端側の軟質繊維９で囲まれていない第１部分６ａでは、硬質繊維８が自由に撓むことができるため、その弾性力によって汚れ落とし機能が十分発揮されることになる。そして、この第１部分６ａの硬質繊維８が清掃時に前方に向けて跳ね返り、水や汚れが前方に向けて多少飛散しても、便器の中に向けて飛散するだけで、外部に飛散することはない。
【００１９】
図５及び図６は、第２実施例のブラシにおけるブラシ基台２の形状と繊維の植設パターンとを示すものである。この第２実施例が上記第１実施例と相違する点は、ブラシ基台２が、その後端部に、該ブラシ基台２の後方に向けて延出する左右一対の延出部分２ｄ，２ｄを有する点である。即ち、上記ブラシ基台２の後端部中央位置に溝形の切り欠き２ｅが形成されていて、この切り欠き２ｅの両側に上記延出部分２ｄ，２ｄが形成されている。従って、該ブラシ基台２の下面の植毛面４にも、その後端領域４ｃの両側端部からブラシ基台２の後方に向けて延出する延出領域４ｄ，４ｄが形成されており、これらの延出領域４ｄ，４ｄに軟質繊維９が植設されている。従ってこの延出領域４ｄ，４ｄは、上記第２植毛領域７の一部を構成するものである。
この第２実施例の上記以外の構成及び作用は実質的に第１実施例と同じであるから、重複を避ける意味でその説明は省略する。
【００２０】
【発明の効果】
このようにして本発明によれば、硬質繊維と軟質繊維とを効果的に組み合わせて使用することにより、汚れ落とし機能と水や汚れの飛散防止機能とを兼ね備えた衛生的で効率的設計構造のトイレ用ブラシを得ることができる。
【図面の簡単な説明】
【図１】本発明に係るトイレ用ブラシの第１実施例を示す正面図である。
【図２】図１の側面図である。
【図３】第１実施例におけるブラシ基台の下面図である。
【図４】第１実施例におけるブラシ基台の、繊維を省略した状態の下面図である。
【図５】本発明の第２実施例におけるブラシ基台の下面図である。
【図６】本発明の第２実施例におけるブラシ基台の、繊維を省略した状態の下面図である。
【符号の説明】
１      柄
２      ブラシ基台
４      植毛面
４ａ      先端領域
４ｂ      中間領域
４ｃ      後端領域
４ｄ      延出領域
６      第１植毛領域
７      第２植毛領域
８      硬質繊維
９      軟質繊維
【図１】
2005040266.tif 000003
【図２】
2005040266.tif 000004
【図３】
2005040266.tif 000005
【図４】
2005040266.tif 000006
【図５】
2005040266.tif 000007
【図６】
2005040266.tif 000008